(57)【要約】【課題】複数の符合化部を用いた無線通信技術において、通信品質を維持しながら無線リソースの利用効率を向上させる。【解決手段】無線通信装置が、複数の符号化部の各々により符号化された各データを各符号化部に割り当てられる各無線リソースを用いてそれぞれ無線送信する送信手段と、上記複数の符号化部に符号化されるべき各送信データをそれぞれ割り振る割振手段と、検出手段により未使用符号化部が検出された場合に、上記複数の符号化部のうち未使用符号化部以外の少なくとも１つを、未使用符号化部に割り当てられている無線リソースが追加的に割り当てられる再設定符合化部として決定する決定手段と、この再設定符合化部の符合化率を、追加的に割り当てられた無線リソースに応じて、他の符号化部よりも低く設定する設定手段と、を備える。【選択図】図２
2010074453.tif 000002
【特許請求の範囲】
【請求項１】
複数の符号化部と、
前記複数の符号化部の各々により符号化された各データを各符号化部に割り当てられる各無線リソースを用いてそれぞれ無線送信する送信手段と、
前記複数の符号化部に符号化されるべき各送信データをそれぞれ割り振る割振手段と、
前記複数の符号化部のうち前記割振手段により送信データが割り振られていない未使用符号化部を検出する検出手段と、
前記検出手段により前記未使用符号化部が検出された場合に、前記複数の符号化部のうち該未使用符号化部以外の少なくとも１つを、該未使用符号化部に割り当てられている無線リソースが追加的に割り当てられる再設定符合化部として決定する決定手段と、
前記決定手段により決定された再設定符合化部の符合化率を、追加的に割り当てられた無線リソースに応じて、他の符号化部よりも低く設定する設定手段と、
を備えることを特徴とする無線通信装置。
【請求項２】
前記送信手段は、
前記各無線リソースに対応する複数の変調部と、
前記再設定符合化部により符号化されたデータ系列を分割し、各分割されたデータ系列を該再設定符合化部に割り当てられている無線リソースに対応する変調部と該再設定符合化部へ追加的に割り当てられた無線リソースに対応する変調部とに送る分割手段と、
を含むことを特徴とする請求項１に記載の無線通信装置。
【請求項３】
前記送信手段は、前記複数の符号化部により符号化された各データが多重化される送信チャネルに対応する制御チャネルを用いて、前記複数の符号化部の各使用状況情報をそれぞれ送信することを特徴とする請求項１又は２に記載の無線通信装置。
【請求項４】
前記割振手段は、
第１アプリケーション及び第２アプリケーションから送信データと共に送信要求をそれぞれ受け付ける受付手段、を含み、
前記受付手段が前記第１アプリケーションから送信要求を受けた場合に、該送信要求対象の第１送信データを前記複数の符号化部の少なくとも１つに割り振り、該第１送信データが割り振られた符号化部以外の少なくとも１つの符号化部が未使用符号化部となるように前記第２アプリケーションからの送信要求を抑制し、
前記決定手段は、前記第１送信データが割り振られた符号化部を再設定符合化部に決定する、
ことを特徴とする請求項１から３のいずれか１項に記載の無線通信装置。
【請求項５】
複数の符号化部の各々により符号化された各データが各符号化部に割り当てられる各無線リソースによりそれぞれ無線送信された信号を受信する無線通信装置において、
前記受信信号を復調することにより、前記各無線リソースにより搬送された各データ系列をそれぞれ取得する取得手段と、
前記各符号化部の使用状況情報を制御チャネルからそれぞれ取得する制御情報取得手段と、
前記制御情報取得手段により取得された各符号化部の使用状況情報に基づいて、前記取得手段により取得されたデータ系列のうち未使用符合化部に割り当てられている無線リソースにより搬送されたデータ系列と、未使用符号化部以外の符号化部の少なくとも１つに割り当てられている無線リソースにより搬送されたデータ系列と、を結合する結合手段と、
前記結合手段により結合されたデータ系列を復号する復号部と、
を備えることを特徴とする無線通信装置。
【請求項６】
複数の符号化部と、該複数の符号化部の各々により符号化された各データを各符号化部に割り当てられる各無線リソースを用いてそれぞれ無線送信する送信部と、を備える無線通信装置による無線通信方法であって、
前記複数の符号化部に符号化されるべき各送信データをそれぞれ割り振る割振ステップと、
前記複数の符号化部のうち前記割振ステップにより送信データが割り振られていない未使用符号化部を検出する検出ステップと、
前記検出ステップにより前記未使用符号化部が検出された場合に、前記複数の符号化部のうち該未使用符号化部以外の少なくとも１つを、該未使用符号化部に割り当てられている無線リソースが追加的に割り当てられる再設定符合化部として決定する決定ステップと、
前記決定ステップにより決定された再設定符合化部の符合化率を、追加的に割り当てられた無線リソースに応じて、他の符号化部よりも低く設定する設定ステップと、
を含むことを特徴とする無線通信方法。
【発明の詳細な説明】
【技術分野】
【０００１】
本発明は、複数の符合化部を用いた無線通信技術に関する。
【背景技術】
【０００２】
図１４は、従来のＭＩＭＯ（Multiple Input Multiple Output）通信システムの例を示す図である。ＭＩＭＯ通信システムの通信装置は、図１４に示すように、複数の符号化部（CODING）＃１から＃Ｎ及び複数の復号部（DECODING）＃１から＃Ｎを有する。このような複数の符号化部＃１から＃Ｎを用いた通信方式では、送信データ量が少ない場合や再送データのみが存在する場合等、符号化処理すべき送信データのない符号化部（図１４の例による符号化部＃２）が発生する場合がある。この場合、符号化部＃２はダミーデータ（PADDING DATA）を符号化し、この符号化されたダミーデータが無線送信される。受信側の通信装置では、復号部（DECODING）＃２がこのダミーデータを復号し、ＭＡＣ（Media Access Control）部等がこのダミーデータを判別することによりそれを廃棄する。
【０００３】
このようなダミーデータの送信は、受信側の通信装置における受信信号の復調処理及び復号処理の便宜のために行われる。例えば、受信側通信装置は、符号化部＃２により符号化されたデータが搬送されるべき無線リソースに、当該データがあるか否かを復調前に知ることは困難である。これは、ＭＩＭＯ通信システムだけではなく、複数の符号化部を有し各符号化部により符号化されたデータを多重化して無線送信する通信システムにおいて同様である。
【０００４】
上記に関連して、以下の技術がある。
【特許文献１】国際公開第２００８／０３２３５８号パンフレット
【特許文献２】特開２００６−３２４９７８号公報
【発明の開示】
【発明が解決しようとする課題】
【０００５】
しかしながら、このような従来の通信技術のように不要なダミーデータを送信することは、無線リソースの無駄遣いである。
【０００６】
本件の課題は、このような問題点に鑑み、複数の符合化部を用いた無線通信技術において、通信品質を維持しながら無線リソースの利用効率を向上させることにある。
【課題を解決するための手段】
【０００７】
本件各態様では、上述した課題を解決するために、それぞれ以下の構成を採用する。
【０００８】
第１の態様は、複数の符号化部と、これら複数の符号化部の各々により符号化された各データを各符号化部に割り当てられる各無線リソースを用いてそれぞれ無線送信する送信手段と、上記複数の符号化部に符号化されるべき各送信データをそれぞれ割り振る割振手段と、上記複数の符号化部のうち上記割振手段により送信データが割り振られていない未使用符号化部を検出する検出手段と、この検出手段により未使用符号化部が検出された場合に、上記複数の符号化部のうち未使用符号化部以外の少なくとも１つを、未使用符号化部に割り当てられている無線リソースが追加的に割り当てられる再設定符合化部として決定する決定手段と、この決定手段により決定された再設定符合化部の符合化率を、追加的に割り当てられた無線リソースに応じて、他の符号化部よりも低く設定する設定手段と、を備える無線通信装置である。
【０００９】
ここで、無線リソースとは、データを無線で搬送するための媒体を意味し、時間、周波数、符号、電力等が用いられる。
【００１０】
第２の態様は、複数の符号化部の各々により符号化された各データが各符号化部に割り当てられる各無線リソースによりそれぞれ無線送信された信号を受信する無線通信装置に関し、当該受信信号を復調することにより、各無線リソースにより搬送された各データ系列をそれぞれ取得する取得手段と、上記各符号化部の使用状況情報を制御チャネルからそれぞれ取得する制御情報取得手段と、この制御情報取得手段により取得された各符号化部の使用状況情報に基づいて、上記取得手段により取得されたデータ系列のうち未使用符合化部に割り当てられている無線リソースにより搬送されたデータ系列と、未使用符号化部以外の符号化部の少なくとも１つに割り当てられている無線リソースにより搬送されたデータ系列と、を結合する結合手段と、この結合手段により結合されたデータ系列を復号する復号部と、を備えるものである。
【００１１】
なお、別態様としては、以上の何れかの構成を実現する方法であってもよいし、プログラムであってもよいし、このようなプログラムを記録したコンピュータが読み取り可能な記憶媒体であってもよい。
【発明の効果】
【００１２】
上記態様によれば、複数の符合化部を用いた無線通信技術において、通信品質を維持しながら無線リソースの利用効率を向上させることができる。
【発明を実施するための最良の形態】
【００１３】
以下、本発明の実施形態としての無線通信システムについて具体例を挙げ説明する。以下に挙げた各実施例はそれぞれ例示であり、本発明は以下の各実施例の構成に限定されない。
【実施例１】
【００１４】
以下、本発明の実施形態としての無線通信システムの実施例１について説明する。
【００１５】
〔システム構成〕
図１は、実施例１における無線通信システムの概略構成を示す図である。実施例１における無線通信システムは、複数の送信アンテナ１０（＃１）から１０（＃Ｎ）を有する送信装置１、複数の受信アンテナ２０（＃１）から２０（＃Ｍ）を有する受信装置２を含む。図１の例では、説明の便宜のため、送信装置１と受信装置２とに分類したが、各装置は、送信及び受信の両方の構成を備えてもよい。また、図１では、送信装置１及び受信装置２が複数の送信アンテナ及び受信アンテナをそれぞれ有する例を示したが、後述する符号化部が複数備えられていれば、送信アンテナ及び受信アンテナの数は制限されない。
【００１６】
〔通信手法〕
図１４に示されるように、従来の通信方式では、所定のタイミングにおいて符号化処理すべき送信データのない符号化部（図１４の例による符号化部＃２）（以降、未使用符号化部とも表記する）が発生した場合においても、その符号化部＃２でダミーデータ（PADDING DATA）が符号化されこの符号化されたダミーデータが無線送信されていた。
【００１７】
図２は、実施例１における無線通信システムで実行される通信手法を示す概念図である。
【００１８】
実施例１における無線通信システムでは、図２に示されるように、未使用符号化部＃２が発生した場合でもダミーデータは送信されない。実施例１における無線通信システムで
は、未使用符号化部＃２が生じた場合には、その未使用符号化部＃２で符号化されたデータに割り当てられるべき無線リソースが他の符号化部＃１に割り当てられる。この無線リソースとは、データを無線で搬送するための媒体を意味し、時間、周波数、符号、電力等が用いられる。
【００１９】
これにより、このとき符号化部＃１で符号化されたデータ＃１（CODING DATA#1）は、
通常時に割り当てられる無線リソースとこの新たに割り当てられた無線リソースとにより受信装置２へ搬送される（符号化データ＃１−１、＃１−２）。つまり、このとき符号化部＃１から出力される符号化データ＃１のデータ量は、その新たに割り当てられた無線リソースで搬送可能なデータ量分、通常時よりも大きく設定される。このデータ量の設定は、例えば、符号化部＃１の符号化率の設定により実現される。例えば、符号化部＃１の符号化率が通常時よりも小さくなるように設定されれば、符号化部＃１から出力されるデータ＃１は冗長度が増し、そのデータ量は通常時よりも大きくなる。このとき、他の符号化部で符号化されるデータに較べ、データ＃１はその誤り訂正能力が向上し、その通信品質が向上する。
【００２０】
以下の説明における、符号化部の無線リソースとは、その符号化部で符号化されたデータ系列が搬送されるために割り当てられる無線リソースを意味するものとする。また、未使用符号化部の無線リソースが追加的に割り当てられる符号化部を再設定符号化部と表記する。
【００２１】
〔装置構成〕
〈送信装置〉
図３は、実施例１における送信装置１の構成を示すブロック図である。図３に示すように、実施例１における送信装置１は、送信アンテナ１０（＃１）から１０（＃Ｎ）、変調部（図３のMOD）１１（＃１）から１１（＃Ｎ）、分割部（図３のDIVIDE）１３（＃１）
から１３（＃Ｎ）、符号化部（図３のCODING）１５（＃１）から１５（＃Ｎ）、データ監視部１７、制御情報生成部１８等を有する。これら各ユニットは、ソフトウェアの構成要素又はハードウェアの構成要素、若しくはこれらの組み合わせとしてそれぞれ実現される（［その他］の項参照）。データ監視部１７は、第１態様における割振手段、検出手段、決定手段、設定手段に相当する。以下、これら各ユニットの詳細についてそれぞれ説明する。
【００２２】
データ監視部１７は、上位レイヤからの送信データを受け、この送信データのデータ量を監視しながらこの送信データを符号化単位で各符号化部１５にそれぞれ振り分ける。送信データの符号化部１５への振り分けは、例えば、その送信データの生成元により指定された符号化部１５へ振り分けるようにしてもよいし、符号化単位のデータ量毎に送信データを分割し所定の順番でこの分割された送信データを振り分けてもよい。なお、データ監視部１７が符号化部１５に振り分けるデータには、受信装置２からの再送要求に応じて再送するデータも含まれる。
【００２３】
データ監視部１７は、各送信データを各符号化部１５に振り分けると共に、各符号化部１５の符号化方式及び符号化率をそれぞれ管理する。符号化方式としては、ターボ符号、ＬＤＰＣ（Low-Density Parity-Check）符号等がある。符号化方式及び符号化率は、各送信データと共に、各符号化部１５に送られても良いし、初期値として予め各符号化部１５に設定されるようにしてもよい。この場合、データ監視部１７は、初期値の符号化率を変更する場合には、その符号化率を対象の符号化部１５へ通知する。
【００２４】
データ監視部１７は、符号化部１５へ振り分けるデータ量を監視し、或る送信タイミングにおいてデータが振り分けられなかった符号化部１５（未使用符号化部）が発生するこ
とを検知する。この送信タイミングは例えば多重化されるシンボル時間に相当する。データ監視部１７は、この未使用符号化部の発生を検知すると、その未使用符号化部の無線リソースをその他の符号化部１５の１つ又は複数に追加的に割り当てる。データ監視部１７は、検知された未使用符号化部１５の識別情報を制御情報生成部１８に送る。
【００２５】
この追加的に無線リソースが割り当てられる符号化部（再設定符号化部）１５は、実施例１では以下のように決定される。例えば、符号化部１５は、図３で付されている符号（＃１から＃Ｎ）のように所定の順番が決められており、この順番に応じて、未使用符号化部よりも前の符号化部１５が選択される。例えば、符号化部１５（＃２）が未使用となる場合には、それより前の符号化部１５（＃１）が選択される。最前番の符号化部１５（＃１）が未使用となる場合には、最後番の符号化部１５（＃Ｎ）が選択される。また、連続する複数の符号化部１５が未使用となる場合には、全ての未使用符号化部に割り当てられている全無線リソースがその前の符号化部１５に全て割り当てられる。例えば、符号化部１５（＃２）、１５（＃３）、１５（＃４）が未使用となる場合には、これら全てに割り当てられていた無線リソースが符号化部１５（＃１）へ割り当てられる。なお、このような再設定符号化部１５の選択方法はこれに限定されない。
【００２６】
データ監視部１７は、未使用符号化部が発生し再設定符号化部１５（＃１）を決定すると、その符号化部１５（＃１）の符号化率を決定する。データ監視部１７は、例えば、以下に示す式により符号化率を決定する。
【００２７】
［符号化率］≒［符号化すべきデータ量］／（［無線リソース数］×［変調方式係数］）
［符号化すべきデータ量］は、データ監視部１７によりその符号化部１５に振り分けられた送信データの量であり、未使用符号化部の発生状況により変わる値ではない。
【００２８】
［無線リソース数］は、発生した未使用符号化部の数に対応し、その再設定符号化部１５で符号化されるデータに追加的に割り当てられる無線リソースの数を示す。例えば、符号化部１５（＃２）が未使用である場合には、この無線リソース数は［２］となる。
【００２９】
［変調方式係数］は、変調部１１の変調方式に対応する係数である。変調方式がＢＰＳＫ（Binary Phase Shift Keying）の場合にＫに設定されるとすれば、ＱＰＳＫ（Quadrature Phase Shift Keying）の場合に２Ｋに設定され、１６ＱＡＭ（Quadrature Amplitude
Modulation）の場合に４Ｋに設定され、６４ＱＡＭの場合に６Ｋに設定される。これら
変調方式は、予め固定値として変調部１１に設定されてもよいし、データ監視部１７により変調部１１へ通知されるようにしてもよい。
【００３０】
このように、データ監視部１７は、その符号化部１５の無線リソース数が多い程、その増えた無線リソースに応じて誤り訂正量が多くなるように、符号化率を決定する。これにより、多くの無線リソースが割り当てられた符号化部１５で符号化されるデータは、冗長性が増し、それの通信品質が向上する。
【００３１】
データ監視部１７は、再設定符号化部１５（＃１）に接続される分割部１３（＃１）に対し、再設定符号化部１５から出力される符号化データ系列を通常時に接続される変調部１１（＃１）と未使用符号化部１５に通常時接続される変調部１１（＃２）とに分割して送るように指示する。
【００３２】
制御情報生成部１８は、制御チャネルで搬送される制御情報を生成する。この制御情報は、所定のタイミングにおいて符号化部１５で符号化された全データに関する情報である。実施例１における送信装置１は、未使用符号化部が発生した場合にその符号化部を受信
装置２に特定させることが望ましい。実施例１における送信装置１がダミーデータを送信せず他の符号化部１５から出力されるデータの冗長度を上げたことを受信装置２に知らせなければ、受信装置２で正常にそのデータを復調及び復号することができないからである。よって、送信装置１は、この制御情報を用いて未使用符号化部を受信装置２に知らせる。
【００３３】
図４は、制御チャネルフォーマットの第１例を示す。図４に示されるように、制御情報には、リソースアサイン情報、ＭＩＭＯ情報、データサイズ、変調方式、ＣＲＣ（Cyclic
Redundancy Check）等が設定され、更に各符号化部に関する情報（CODING(#1)、CODING(#2)等）がそれぞれ設定される。図４の例では、各符号化部に関する情報として、プロセ
ス情報（PROCESS）、ＮＤＩ（New Data Indicator）情報、再送回数がそれぞれ設定され
る。プロセス情報には、ＨＡＲＱ（Hybrid-Automatic Repeat reQuest）プロセスの番号
が設定され、ＮＤＩ情報には、再送か初回送信かを示す情報が設定される。
【００３４】
図４の例では、例えば、各符号化部に関する情報のうちのプロセス情報の所定ビットが未使用符号化部か否かを示すビットに割り当てられる。プロセス情報フィールドは３ビット有しているものの実際の情報として６個の数値が使われるに過ぎないため、この場合、余っている２個の数値を用いて未使用か否かが示される。制御情報生成部１８は、データ監視部１７から未使用符号化部の識別番号を受けると、この情報に基づいて、未使用符号化部に関するプロセス情報に未使用を示す値を設定する。
【００３５】
図５は、制御チャネルフォーマットの第２例を示す。図４の例では、他の機能で利用されているフィールド値（プロセス情報等）を用いる例を示したが、図５に示すように、各符号化部に関する情報に新たなフィールド（使用状態）を設けるようにしてもよい。図５の例によれば、各符号化部に関する各使用状態フィールドにそれぞれ使用、未使用のいずれかが設定される。
【００３６】
制御情報生成部１８は、このように生成された制御情報データを所定の変調部１１へ送る。これにより、この制御情報データが制御チャネルで無線送信される。
【００３７】
符号化部１５は、予め初期値として設定されている、又は、データ監視部１７から通知された符号化方式及び符号化率で、データ監視部１７から送られる送信データを符号化する。符号化された送信データは、その符号化部１５に接続される分割部１３へ送られる。
【００３８】
分割部１３は、通常時には１つの変調部１１と接続されている。図３の例では、分割部１３（＃１）は変調部１１（＃１）に接続され、分割部１３（＃Ｎ）は変調部１１（＃Ｎ）に接続される。分割部１３は、通常時には、接続される符号化部１５からの符号化データ系列をそのまま接続される変調部１１へ送る。
【００３９】
一方で、分割部１３は、データ監視部１７から指示を受けた場合には、この通常時の接続を切り替える。具体的には、未使用符号化部１５（＃２）の無線リソースが割り当てられた符号化部１５（＃１）から符号化データ系列を受けた分割部１３（＃１）は、本来その未使用符号化部１５（＃２）からの符号化データ系列が送られる変調部１１（＃２）と通常時に接続される変調部１１（＃１）とにその符号化データ系列を分割して振り分ける。この振り分けは、例えば、所定ビットずつ変調部１１（＃１）と１１（＃２）とに順次振り分けることで実現される。
【００４０】
変調部１１は、分割部１３からの符号化データ系列が所定の無線リソースで搬送されるようにその符号化データ系列を変調及び多重化する。実施例１における送信装置１では、各符号化部１５の無線リソースに対応して各変調部１１がそれぞれ設けられている。変調
部１１は、分割部１３から送られる符号化データ系列及び制御情報生成部１８から送られる制御情報データを変調し、変調された信号を多重化し、この多重化信号を無線信号に変換し、この無線信号をアンテナ１０へ送る。未使用符号化部１５（＃２）の無線リソースが割り当てられた再設定符号化部１５（＃１）から出力される符号化データ系列は、上述のように各無線リソースに対応する各変調部１１（＃１）及び（＃２）でそれぞれ処理され、無線送信される。なお、変調部１１の変調手法、多重化手法、無線信号の生成手法は制限されない。
【００４１】
〈受信装置〉
図６は、実施例１における受信装置２の構成を示すブロック図である。図６に示すように、実施例１における受信装置２は、受信アンテナ２０（＃１）から２０（＃Ｎ）、復調部（図６のDEMOD）２１（＃１）から２１（＃Ｎ）、結合部（図６のJOIN）２３（＃１）
から２３（＃Ｎ）、復号部（図３のDECODING）２５（＃１）から２５（＃Ｎ）、制御情報受信部２７等を有する。これら各ユニットは、ソフトウェアの構成要素又はハードウェアの構成要素、若しくはこれらの組み合わせとしてそれぞれ実現される（［その他］の項参照）。復調部２１は、第２態様における取得手段に相当し、制御情報受信部２７は、第２態様における制御情報取得手段に相当し、結合部２３は、第２態様における結合手段に相当する。以下、これら各ユニットの詳細機能についてそれぞれ説明する。
【００４２】
復調部２１は、受信アンテナ２０で受信された信号を復調する。復調部２１は、制御チャネルを復調することにより得られる制御情報信号を制御情報受信部２７へ送る。復調部２１は、制御情報受信部２７から制御情報データを受け、この制御情報データに含まれるデータサイズ（ＴＢＳ（Transport Block Size））、変調方式等を用いて、アンテナ２０で受信された信号を復調する。
【００４３】
復調部２１は、送信装置１における各変調部１１により変調された信号に対応する各受信信号をそれぞれ取得する。復調部２１は、例えば、多重化された受信信号の中からその復調部２１に対応する変調部１１で変調された信号をそれぞれ抽出する。すなわち、各復調部２１で処理される信号は、未使用符号化部が発生していない場合には、各符号化部１５で符号化処理された信号に対応する。
【００４４】
復調部２１は、通常時には１つの結合部２３と接続されている。図６の例では、復調部２１（＃１）は結合部２３（＃１）に接続され、復調部２１（＃Ｍ）は結合部２３（＃Ｍ）に接続される。復調部２１は、通常時には得られたデータ系列をそのまま接続される結合部２３へ送る。一方で、復調部２１は、制御情報受信部２７から送られる各符号化部に関する使用状態情報から未使用符号化部の存在を認識する。復調部２１は、未使用符号化部の存在を認識すると、自身で復調した信号が未使用符号化部に割り当てられている無線リソースにより搬送されたものであるか否かを判断する。復調部２１は、自身で復調した信号が未使用符号化部に割り当てられている無線リソースにより搬送されたものであると判断すると、通常時の結合部２３との接続を切り替える。結果、復調部２１は、得られたデータ系列を他の復調部２１に接続される結合部２３へ送る。
【００４５】
このときの接続の切り替え先は、上述した送信装置１における、再設定符号化部１５と同様の選択方法により決定される。例えば、送信装置１の変調部１１（＃１）で変調された信号を受信装置２の復調部２１（＃１）が取得し、変調部１１（＃２）で変調された信号を復調部２１（＃２）が取得する場合を例に挙げる。送信装置１では、符号化部１５（＃２）が未使用符号化部になると、その前の順番の符号化部１５（＃１）が再設定符号化部に決定される。これにより受信装置２でも同様に、復調部２１（＃２）は、自身の処理する信号が未使用符号化部に対応すると認識すると、この前の順番の復調部２１（＃１）に接続される結合部２３（＃１）へその復調されたデータ系列が送られるように、接続を
切り替える。
【００４６】
制御情報受信部２７は、復調部２１から制御情報信号を受けると、この信号から制御情報データを取得する。この制御情報データには、上述の図４又は５に示すような情報が含まれている。制御情報受信部２７は、制御情報データのうち、データサイズ、復調方式、各符号化部に関する使用状態情報などを復調部２１へ送る。制御情報受信部２７は、例えば、復調部２１と送信装置１の符号化部１５との対応関係情報を予め保持しており、この情報に基づいて、制御情報データの各符号化部に関する使用状態情報などを各符号化部１５に対応する復調部２１へそれぞれ送る。また、制御情報受信部２７は、制御情報データ中のデータサイズを復号部２５へ送る。
【００４７】
結合部２３は、通常時には、１つの復調部２１と接続され、復調部２１から送られるデータ系列をそのまま復号部２５へ送る。結合部２３は、複数の復調部２１からデータ系列を受ける場合には、上述の送信装置１の分割部１３と逆の手法によりそれらデータ系列を結合する。例えば、送信装置１の分割部１３が１ビットずつ交互に２つの復調部１１へ振り分ける場合には、受信装置２の結合部２３は、２つの復調部２１から送られるデータ系列を１ビットずつ交互に結合する。結合部２３は、このように結合されたデータ系列を復号部２５へ送る。
【００４８】
復号部２５は、結合部２３から送られるデータ系列を予め初期値として設定されている復号方式及び符号化率で復号する。初期値としての復号方式及び符号化率は、送信装置１における符号化部１５に設定される符号化方式及び符号化率に対応して決められる。但し、復号部２５は、制御情報受信部２７から送られるデータサイズと結合部２３から送られるデータ系列のサイズとから得られる符号化率とその初期値としての符号化率が異なる場合には、そのデータ系列が再設定符号化部により符号化されたデータ系列であると判断し、その得られた符号化率を用いて復号する。なお、符号化率及び変調方式が各符号化部に関する情報として制御情報データに設定されるようにし、このデータが利用されて復号されるようにしてもよい。未使用符号化部が発生し、この未使用符号化部の無線リソースに対応する復調部２１と通常時に接続される復号部２５からは、データは出力されない。
【００４９】
〔動作例〕
次に、実施例１における無線通信システムの動作例について図面を用いて説明する。
【００５０】
図７は、実施例１における送信装置の動作例を示すフローチャートである。
【００５１】
送信装置１では、データ監視部１７が上位レイヤから送信要求された送信データ及び再送要求に応じた再送データのデータ量を監視する。データ監視部１７は、この送信データを各符号化部１５にそれぞれ割り振る（Ｓ７０１）。このような割り振り処理において、データ監視部１７は、未使用符号化部の発生を検知する（Ｓ７０２）。ここでは、符号化部１５（＃２）が未使用符号化部となる場合を例に挙げる。
【００５２】
データ監視部１７は、符号化部１５（＃２）が未使用符号化部となったことを検知すると（Ｓ７０２；ＹＥＳ）、その他の符号化部１５の中から、その未使用符号化部の無線リソースを追加的に割り当てる符号化部（再設定符合化部）１５を決定する（Ｓ７０３）。ここでは、符号化部１５（＃１）が再設定符号化部に選ばれる場合を例に挙げる。
【００５３】
データ監視部１７は、その決定された再設定符合化部１５（＃１）の符号化率を決定する（Ｓ７０４）。符号化率を決定する式において、［符号化すべきデータ量］にはそのとき符号化部１５（＃１）へ割り振られた送信データのデータサイズが設定され、［変調方式係数］には予め固定値として設定されている４Ｋ（１６ＱＡＭ）が設定される。このと
き、データ監視部１７は、［無線リソース数］を２に設定する。これにより、符号化部１５（＃１）の符号化率は、通常時の２分の１に決定される。データ監視部１７は、このように決定された符号化率を再設定符号化部１５（＃１）へ通知する。
【００５４】
更に、データ監視部１７は、再設定符号化部１５（＃１）から出力される符号化データ系列が変調部１１（＃１）と１１（＃２）とに振り分けられるように、分割部１３（＃１）に指示する。これにより、分割部１３（＃１）の変調部１１との接続形態が切り替えられる（Ｓ７０５）。
【００５５】
未使用符号化部１５（＃２）以外の符号化部１５は、データ監視部１７から送信データをそれぞれ割り振られている。再設定符号化部１５（＃１）は、データ監視部１７からの通知により予め設定されている符号化率が上述のように決定された符号化率に変更されている。各符号化部１５は、割り当てられた送信データをそれぞれ符号化する（Ｓ７０６）。再設定符号化部１５（＃１）には通常時の２分の１の符号化率が設定されているため、再設定符号化部１５（＃１）から出力される符号化データ系列は、通常時の２倍の符号量を有する。各符号化部１５により符号化された符号化データ系列は、各符号化部１５に接続される各分割部１３にそれぞれ入力される。
【００５６】
分割部１３（＃１）は、通常時には、符号化部１５（＃１）から出力される符号化データ系列をそのまま変調部１１（＃１）へ送る。分割部１３（＃１）は、データ監視部１７から上記指示を受けることにより、再設定符号化部１５（＃１）から出力される符号化データ系列を変調部１１（＃１）及び１１（＃２）へそれぞれ振り分ける（Ｓ７０７）。一方で、通常時に変調部１１（＃２）と接続される分割部１３（＃２）は、変調部１５（＃２）が未使用であるためこのタイミングではデータ系列を受けない。よって、変調部１１（＃２）へ送られるデータ系列は、分割部１３（＃１）経由の系列のみである。
【００５７】
変調部１１（＃１）及び変調部１１（＃２）は、再設定符号化部１５（＃１）から出力された符号化データ系列のうち各分割された符号化データ系列をそれぞれ所定の変調方式により変調する（Ｓ７０８）。変調部１１（＃３）から１１（＃Ｎ）は、各分割部１３（＃３）から１３（＃Ｎ）から出力されるデータ系列をそれぞれ変調する。
【００５８】
このとき、制御情報生成部１８は、データ監視部１７から未使用符号化部１５（＃２）の識別情報を受けている。制御情報生成部１８は、符号化部１５により符号化された全データに関する制御情報を生成すると共に、この制御情報に各符号化部に関する情報として未使用符号化部を特定し得る情報を設定する。制御情報生成部１８により生成された制御情報は所定の変調部で変調される。
【００５９】
このように各変調部１１で変調された各信号はそれぞれ送信アンテナ１０から送信される。再設定符号化部１５（＃１）で符号化されたデータ系列は、他の符号化部１５（＃３）から（＃Ｎ）で符号化されたデータ系列よりもデータ量（符号化量）が大きくなっており、元々割り当てられていた無線リソースと、未使用符号化部１５（＃２）の無線リソースと、を用いて搬送される。
【００６０】
図８は、実施例１における受信装置の動作例を示すフローチャートである。図９は、実施例１における受信装置の処理例１を示す図であり、図１０は、実施例１における受信装置の処理例２を示す図である。処理例１及び２は、送信装置１が６個の符号化部１５を備え、受信装置２が６個の復号部２５を備える場合の例である。
【００６１】
以下、実施例１における受信装置の動作例を、図９の処理例１を用いて、図８のフローチャートに沿って説明する。処理例１では、送信装置１において、符号化部１５（＃３）
、１５（＃４）及び１５（＃６）が未使用符号化部となり、符合化部１５（＃２）及び１５（＃５）が再設定符号化部に決定される。これにより、再設定符号化部１５（＃２）により符号化されたデータ系列は、変調部１１（＃２）、１１（＃３）及び１１（＃４）により変調及び多重化され、再設定符号化部１５（＃５）により符号化されたデータ系列は、変調部１１（＃５）及び１１（＃６）により変調及び多重化される。結果として、再設定符号化部１５（＃２）により符号化されたデータ系列は、符号化部１５（＃２）、１５（＃３）及び１５（＃４）の各無線リソースにより無線送信され、符号化部１５（＃５）により符号化されたデータ系列は、符号化部１５（＃５）及び１５（＃６）の各無線リソースにより無線送信される。
【００６２】
受信装置２では、上記送信装置１の複数の送信アンテナ１０から送信された各信号が複数の受信アンテナ２０により受信される。制御情報受信部２７は、受信信号のうち制御チャネル信号を受け、この制御チャネル信号から制御情報データを取得する（Ｓ８０１）。制御情報受信部２７は、この制御情報データのうち、データサイズ、復調方式、各符号化部に関する使用状態情報などを各復調部２１へそれぞれ送る。処理例１では、符号化部１５（＃３）、１５（＃４）及び１５（＃６）に関する各使用状態情報がそれぞれ未使用に設定されている。
【００６３】
各復調部２１は、送信装置１の各変調部１１により変調された信号に対応する各受信信号をそれぞれ取得する（Ｓ８０２）。具体的には、復調部２１（＃３）、２１（＃４）及び２１（＃６）が、送信装置１の変調部１１（＃３）、１１（＃４）及び１１（＃６）により変調された信号を取得する。言い換えれば、復調部２１（＃３）、２１（＃４）及び２１（＃６）は、未使用符号化部１５（＃３）、１５（＃４）及び１５（＃６）の各無線リソースで搬送された信号をそれぞれ取得する。図８で示すＤＡＴＡ（Ｎ）は、送信装置１の変調部（Ｎ）で変調された信号に対応する受信信号を示している。以下、説明の便宜のために、各復調部２１、各結合部２３、各復号部２５がそれぞれシーケンシャルに動作するように説明するが、これらは並行動作してもよい。
【００６４】
（Ｘ＝１）（Ｓ８０３）：
復調部２１（＃１）は、変調部１１（＃１）に対応する受信信号（DATA(1)）を取得し
ている。復調部２１（＃１）は、変調部１１（＃１）により変調されたデータ系列を生成した符合化部１５（＃１）に関する使用状態情報を参照する。復調部２１（＃１）は、この符号化部１５（＃１）に関する使用状態情報に基づいて、符号化部１５（＃１）が未使用符合化部でないことを確認する（Ｓ８０４）。復調部２１（＃１）は、符号化部１５（＃１）が使用されていると判断すると（Ｓ８０４；ＹＥＳ）、取得された受信信号（DATA(1)）を復調することにより、データ系列（SDATA(1)）を取得する（Ｓ８０５）。このデ
ータ系列（SDATA(1)）は、結合部２３（＃１）へ送られる。
【００６５】
一方で、符号化部１５（＃２）に関する使用状態情報によれば、符号化部１５（＃２）も使用されている（Ｓ８０６、Ｓ８０７；ＮＯ、Ｓ８０８、Ｓ８１０；ＹＥＳ）。よって、結合部２３（＃１）は、復調部２１（＃１）以外の復調部からデータ系列を受けないため、データ系列（SDATA(1)）をそのまま復号部２５（＃１）へ送る。
【００６６】
復号部２５（＃１）は、制御情報データに含まれるデータサイズ（例えばＴＢＳ（Transport Block Size））と結合部２３から送られるデータ系列のサイズとからそのデータの符合化率を算出する。この場合、復号部２５（＃１）は、算出された符合化率が初期値としての符合化率と等しいと判定する。復号部２５（＃１）は、初期値として設定されている符合化率及び復号方式に基づいて、そのデータ系列を（SDATA(1)）を復号する（Ｓ８１５）。
【００６７】
（Ｘ＝２）（Ｓ８１６）：
上述したように、符号化部１５（＃２）に関する使用状態情報によれば、符号化部１５（＃２）も使用されている。復調部２１（＃２）は、符号化部１５（＃２）が使用されていると判断すると（Ｓ８０４；ＹＥＳ）、上述の復調部２１（＃１）と同様に、受信信号（DATA(2)）を復調することによりデータ系列（SDATA(2)）を取得する（Ｓ８０５）。こ
のデータ系列（SDATA(2)）は、結合部２３（＃２）へ送られる。
【００６８】
このとき、符号化部１５（＃３）に関する使用状態情報によれば、符号化部１５（＃３）は未使用である（Ｓ８０６、Ｓ８０７；ＮＯ、Ｓ８０８、Ｓ８１０；ＮＯ）。これにより、復調部２１（＃３）は、受信信号（DATA(3)）を復調することによりデータ系列（SDATA(3)）を取得すると（Ｓ８１１）、そのデータ系列（SDATA(3)）を通常接続される結合
部２３（＃３）ではなく結合部２３（＃２）へ送る（Ｓ８１２）。このときの接続の切り替え先は、送信装置１における、再設定符号化部と同様の選択方法により決定される。
【００６９】
同様に、符号化部１５（＃４）に関する使用状態情報によれば、符号化部１５（＃４）もまた未使用である（Ｓ８１３、Ｓ８０７；ＮＯ、Ｓ８０８、Ｓ８１０；ＮＯ）。これにより、復調部２１（＃４）は、受信信号（DATA(4)）を復調しデータ系列（SDATA(4)）を
取得すると（Ｓ８１１）、そのデータ系列（SDATA(4)）を通常接続される結合部２３（＃４）ではなく結合部２３（＃２）へ送る（Ｓ８１２）。このときの接続の切り替え先の決定も、送信装置１における再設定符号化部と同様の決定方法が採られる。
【００７０】
結合部２３（＃２）は、通常時に接続される復調部２１（＃２）からだけでなく、復調部２１（＃３）及び復調部２１（＃４）からもデータ系列を受ける（SDATA(2),SDATA(3),SDATA(4)）。結合部２３（＃２）は、これらデータ系列を結合する（Ｓ８１２×２回）。
【００７１】
符号化部１５（＃５）に関する使用状態情報によれば、符号化部１５（＃５）は使用されている（Ｓ８１３、Ｓ８０７；ＮＯ、Ｓ８０８、Ｓ８１０；ＹＥＳ）。よって、結合部２３（＃２）は、復調部２１（＃２）、２１（＃３）、２１（＃４）以外の復調部からデータ系列を受けないため、上記結合されたデータ系列（SDATA(2)+SDATA(3)+SDATA(4)）を復号部２５（＃２）へ送る。
【００７２】
復号部２５（＃２）は、制御情報データに含まれるデータサイズと結合部２３から送られるデータ系列のサイズとからそのデータの符合化率を算出する。このとき、復号部２５（＃２）は、算出された符合化率が初期値としての符合化率と異なると判定する。このとき算出される符合化率は、初期値の３分の１である。復号部２５（＃２）は、そのデータ系列が再設定符号化部により符号化されたデータ系列であると判断し、その得られた符号化率を用いてそのデータ系列（SDATA(2)+SDATA(3)+SDATA(4)）を復号する（Ｓ８１５）。
【００７３】
（Ｘ＝５）（Ｓ８１６）：
上述したように、符号化部１５（＃５）に関する使用状態情報によれば、符号化部１５（＃５）は使用されている。復調部２１（＃５）は、符号化部１５（＃５）が使用されていると判断すると（Ｓ８０４；ＹＥＳ）、受信信号（DATA(5)）を復調し、データ系列（SDATA(5)）を取得する（Ｓ８０５）。このデータ系列（SDATA(5)）は、結合部２３（＃２
）へ送られる。
【００７４】
一方で、符号化部１５（＃６）に関する使用状態情報によれば、符号化部１５（＃６）は未使用である（Ｓ８０６、Ｓ８０７；ＮＯ、Ｓ８０８、Ｓ８１０；ＮＯ）。これにより、復調部２１（＃６）は、受信信号（DATA(6)）を復調しデータ系列（SDATA(6)）を取得
すると（Ｓ８１１）、そのデータ系列（SDATA(6)）を通常接続される結合部２３（＃６）ではなく結合部２３（＃５）へ送る。
【００７５】
結合部２３（＃５）は、通常時に接続される復調部２１（＃５）から受けたデータ系列（SDATA(5)）と更に復調部２１（＃６）から受けたデータ系列（SDATA(6)）とを結合する（Ｓ８１２）。このとき、符号化部１５（＃１）は使用されているため（Ｓ８１３、Ｓ８０７；ＹＥＳ、Ｓ８０９、Ｓ８１０；ＹＥＳ）、結合部２３（＃５）はそれ以上結合すべきデータ系列を受けない。よって、結合部２３（＃５）はその結合されたデータ系列（SDATA(5)+SDATA(6)）を復号部２５（＃５）へ送る。
【００７６】
復号部２５（＃５）は、上述の復号部２５（＃２）と同様に、そのデータ系列の符合化率が初期値と異なると判断する。復号部２５（＃５）は、算出された符合化率によりそのデータ系列（SDATA(5)+SDATA(6)）を復号する（Ｓ８１５）。このように全ての受信信号
が復調及び復号される（Ｓ８１６、Ｓ８１９；ＹＥＳ）。
【００７７】
次に、図１０の処理例２を用いて、実施例１における受信装置の動作例を説明する。処理例２は、先頭の符号化部１５（＃１）が未使用である点において、処理例１と異なる。
【００７８】
処理例２では、送信装置１において、符号化部１５（＃１）、１５（＃３）及び１５（＃４）が未使用符号化部となり、符合化部１５（＃２）及び１５（＃６）が再設定符合化部に決定される。これにより、再設定符号化部１５（＃２）により符号化されたデータ系列は、変調部１１（＃２）、１１（＃３）及び１１（＃４）により変調及び多重化され、再設定符号化部１５（＃６）により符号化されたデータ系列は、変調部１１（＃６）及び１１（＃１）により変調及び多重化される。結果として、再設定符号化部１５（＃２）により符号化されたデータ系列は、符号化部１５（＃２）、１５（＃３）及び１５（＃４）の各無線リソースにより無線送信され、符号化部１５（＃６）により符号化されたデータ系列は、符号化部１５（＃６）及び１５（＃１）の各無線リソースにより無線送信される。
【００７９】
受信装置２においても、処理例１と同様に、制御チャネル信号が受信され、この制御チャネル信号から制御情報データが取得され（Ｓ８０１）、所定の情報がそれぞれ各復調部２１へ送られる。処理例２では、符号化部１５（＃１）、１５（＃３）及び１５（＃４）に関する各使用状態情報がそれぞれ未使用に設定されている。
【００８０】
処理例２では、復調部２１（＃１）、２１（＃３）及び２１（＃４）が、送信装置１の変調部１１（＃１）、１１（＃３）及び１１（＃４）により変調された信号を取得する。言い換えれば、復調部２１（＃１）、２１（＃３）及び２１（＃４）は、未使用符号化部１５（＃１）、１５（＃３）及び１５（＃４）の各無線リソースで搬送された信号をそれぞれ取得する。以下、処理例１と同様に、各復調部２１、各結合部２３、各復号部２５がそれぞれシーケンシャルに動作するように説明する。ここで、復調部２１（＃２）、２１（＃３）及び２１（＃４）で復調された各データ系列（SDATA(2),(3),(4)）が結合部２３（＃２）で結合されて、この結合されたデータ系列が復号部２５（＃２）で復号されるのは、処理例１と同様である。
【００８１】
（Ｘ＝５）（Ｓ８１６）：
復調部２１（＃５）は、符号化部１５（＃５）に関する使用状態情報に基づいて、符号化部１５（＃５）が使用されていると判断すると（Ｓ８０４；ＹＥＳ）、受信信号（DATA(5)）を復調し、データ系列（SDATA(5)）を取得する（Ｓ８０５）。このデータ系列（SDATA(5)）は、結合部２３（＃５）へ送られる。
【００８２】
このとき、符号化部１５（＃６）に関する使用状態情報によれば、符号化部１５（＃６）は使用されている（Ｓ８０６、Ｓ８０７；ＮＯ、Ｓ８０８、Ｓ８１０；ＹＥＳ）。よっ
て、結合部２３（＃５）は、復調部２１（＃５）以外の復調部からデータ系列を受けないため、そのデータ系列（SDATA(5)）をそのまま復号部２５（＃５）へ送る。復号部２５（＃５）は、そのデータ系列（SDATA(5)）を初期値の符合化率及び復号方式を用いて復号する（Ｓ８１５）。
【００８３】
（Ｘ＝６）（Ｓ８１６）：
上述したように、符号化部１５（＃６）に関する使用状態情報によれば、符号化部１５（＃６）は使用されている。復調部２１（＃６）は、符号化部１５（＃６）が使用されていると判断すると（Ｓ８０４；ＹＥＳ）、受信信号（DATA(6)）を復調し、データ系列（SDATA(6)）を取得する（Ｓ８０５）。このデータ系列（SDATA(6)）は、結合部２３（＃６
）へ送られる。
【００８４】
一方で、符号化部１５（＃１）に関する使用状態情報によれば、符号化部１５（＃１）は未使用である（Ｓ８０６、Ｓ８０７；ＹＥＳ、Ｓ８０９、Ｓ８１０；ＮＯ）。これにより、復調部２１（＃１）は、受信信号（DATA(1)）を復調しデータ系列（SDATA(1)）を取
得すると（Ｓ８１１）、そのデータ系列（SDATA(1)）を通常接続される結合部２３（＃１）ではなく結合部２３（＃６）へ送る。
【００８５】
結合部２３（＃６）は、通常時接続される復調部２１（＃６）から受けたデータ系列（SDATA(6)）と復調部２１（＃１）から受けたデータ系列（SDATA(1)）とを結合する。このとき、符号化部１５（＃２）は使用されているため（Ｓ８１３、Ｓ８０７；ＹＥＳ、Ｓ８０９、Ｓ８１０；ＹＥＳ）、結合部２３（＃６）はそれ以上結合すべきデータ系列を受けない。よって、結合部２３（＃６）はその結合されたデータ系列（SDATA(6)+SDATA(1)）
を復号部２５（＃６）へ送る。
【００８６】
復号部２５（＃６）は、そのデータ系列の符合化率が初期値と異なると判断する。復号部２５（＃６）は、算出された符合化率によりそのデータ系列（SDATA(6)+SDATA(1)）を
復号する（Ｓ８１５）。このように全ての受信信号が復調及び復号される（Ｓ８１６、Ｓ８１９；ＹＥＳ）。
【００８７】
このように、未使用符号化部の無線リソースにより搬送されてくるデータは、結合部２３により、同じ再設定符合化部で符合化された他のデータに結合された後、復号部２５により復号される。このとき、受信装置２は、制御情報データに含まれる各符号化部に関する使用状態情報を参照することにより、未使用符号化部を検知し、結合すべき各データを判別する。これにより、実施例１における受信装置２は、未使用符合化部の無線リソースが用いられることにより通常時よりも大きい符号量で送信されたデータであっても通常時と同様に正しく復号することができる。
【００８８】
〈実施例１における作用及び効果〉
実施例１における無線通信システムでは、送信装置１が複数の符号化部１５を有し、データ監視部１７から送られる送信データを各符号化部１５がそれぞれ符合化処理を実行する。このとき、送信データ量の関係から、未使用符合化部が生ずる場合がある。
【００８９】
データ監視部１７は、この未使用符合化部の発生を検知し、この未使用符合化部の無線リソースを割り当てるための再設定符号化部を未使用符合化部以外の符号化部の中から決定する。更に、データ監視部１７は、再設定符合化部に追加的に割り当てられる無線リソースの数に応じて小さくなるように符合化率を決定し、この符合化率を再設定符号化部に送る。
【００９０】
データ監視部１７から送られた送信データは、再設定符合化部によりデータ監視部１７
から再設定された符合化率を用いて符号化される。再設定符号化部で符号化されたデータ系列は、分割部１３により、その再設定符合化部に通常接続される変調部１１と、その再設定符号化部に無線リソースが割り当てられた未使用符合化部に通常接続される変調部１１と、に分割され送られる。結果として、再設定符合化部で通常時よりも低符合化率で符合化されたデータ系列は、その再設定符合化部の無線リソースに加え、低符合化率に応じて増えた符号量をカバーするべく未設定符合化部の無線リソースが用いられて無線送信される。
【００９１】
このように実施例１における送信装置１では、未使用符合化部が生じた場合であってもダミーデータは送られない。従って、実施例１によれば、無線リソースの効率的な使用が可能となる。
【００９２】
一方で、その未使用符号化部の無線リソースが他の符号化部（再設定符合化部）で低符合化率で符号化されたデータ系列に用いられる。
【００９３】
従って、実施例１によれば、未使用符合化部が生じた場合であっても、意味のないデータを送る代わりに、他の送信データの冗長度が増加されるため、通信品質の向上も果される。
【００９４】
実施例１における受信装置２では、送信装置１から送られる制御情報データ内の各符号化部に関する使用状態情報に基づいて、未使用符号化部が検知され、更に、その未使用符合化部の無線リソースが割り当てられた再設定符合化部が認識される。これにより、未使用符合化部の無線リソースで搬送されたデータ系列は、その無線リソースに対応する復調部２１で復調され、結合部２３で、再設定符合化部の無線リソースで搬送されたデータ系列に結合される。結合されたデータ系列は、送信装置１の再設定符合化部で符合化されたデータ系列に相当し、所定の復号部２５でその再設定された符合化率により復号される。
【００９５】
このように実施例１における受信装置２は、上述のように未設定符号化部の無線リソースが他の符合化部に割り当てられたとしても、送信装置１との間で各符号化部の使用状態情報のみをやりとりするだけでその冗長度が高められた送信データを正しく復号することができる。各符号化部の使用状態情報は、既に利用されている制御情報データの一部を用いて通知されることもできるため、この情報の通知により無線リソースの無駄遣いとはならない。
【実施例２】
【００９６】
上述の実施例１では、送信装置１のデータ監視部１７へ送信データと共に送信要求を送るアプリケーションと、データ監視部１７と、の間のやりとりについては言及しなかった。以下、送信装置１におけるデータ監視部１７と送信要求を送る各アプリケーションとの間の処理を特定した例を実施例２として説明する。なお、システム構成、受信装置２の装置構成については実施例１と同様であるため、ここでは説明を省略する。
【００９７】
〔装置構成〕
〈送信装置〉
図１１は、実施例２における送信装置１の構成を示すブロック図である。図１１に示すように、実施例２における送信装置１は、図３の構成に加え、制御アプリケーション（以降、制御ＡＰと表記）３１、ユーザデータアプリケーション（以降、ユーザデータＡＰと表記）３２を更に有する。これら各アプリケーションは、ソフトウェアの構成要素としてそれぞれ実現される（［その他］の項参照）。制御ＡＰ３１は、第１態様における第１アプリケーションに相当し、ユーザデータＡＰ３２は、第１態様における第２アプリケーションに相当する。以下、これら各アプリケーションとそれらに関わるデータ監視部１７の
詳細についてそれぞれ説明する。
【００９８】
制御ＡＰ３１は、呼制御等の制御プレーンの通信を実行するアプリケーションである。制御ＡＰ３１は、制御プレーンの制御データを送信すべき場合には、その制御データのデータ量と共に送信要求をデータ監視部１７へ送る。制御ＡＰ３１は、データ監視部１７からの応答が送信許可を示している場合には、その制御データをデータ監視部１７へ送る。制御ＡＰ３１は、その応答が送信不許可を示している場合には、その制御データをデータ監視部１７に送ることなく、再度、送信要求をデータ監視部１７へ再送する。
【００９９】
ユーザデータＡＰ３２は、他のネットワークに収容される他の送信装置との間でユーザデータ（ユーザ呼、ユーザパケット等）のやりとりを制御する。ユーザデータＡＰ３２は、他のネットワークからユーザデータを受けると、そのユーザデータのデータ量と共にそのユーザデータの送信要求をデータ監視部１７へ送る。ユーザデータＡＰ３２は、データ監視部１７から送信許可を示す応答を受けると、その応答に含まれるデータ量のユーザデータをデータ監視部１７へ送る。ユーザデータＡＰ３２は、データ監視部１７からそのユーザデータの送信を待つように指示を受けると、そのユーザデータを保持する。
【０１００】
データ監視部１７は、実施例１で説明した機能に加えて、制御ＡＰ３１及びユーザデータＡＰ３２から送られる送信要求の受付制御を実行する。制御ＡＰ３１から送られる制御データは、ユーザデータを正常に受信装置２へ送り届けるために必要となる送信データであるため、ユーザデータ以上に通信品質を高くするのが望ましい。データ監視部１７は、制御データの送信要求を受けている場合には、ユーザデータに割り振られるべき符号化部に未使用符号化部を生じさせるようにユーザデータＡＰ３２からの送信要求を抑制する。この抑制は、未使用符合化部を生じさせ得る送信データ量を決定した後、この送信データ量をユーザデータＡＰ３２へ通知することにより実現してもよいし、送信要求の応答としてそのユーザデータの送信を待つように指示することにより実現してもよいし、データ監視部１７内のバッファ等によりそのユーザデータの割り当てを遅らせることにより実現してもよい。なお、ユーザデータＡＰ３２から送信要求されるユーザデータのデータ量が多い場合には、このようなユーザデータの抑制処理が実行されないようにしてもよい。送信すべきユーザデータが多く存在するにも関わらずそれを抑制することは、かえってユーザに提供される通信サービス品質が低下することに繋がるからである。
【０１０１】
これにより、データ監視部１７は、この未使用符合化部の無線リソースを割り当てる再設定符合化部を制御データが割り振られた符号化部の中から選択する。データ監視部１７は、実施例１と同様に、選択された再設定符合化部の符合化率を未使用符合化部の数に応じて決定する。結果、再設定符合化部で符合化される制御データは、ユーザデータに比べ符号量が多くなり冗長度が高くなる。
【０１０２】
〔動作例〕
次に、実施例２における無線通信システムの動作例について図１２を用いて説明する。図１２は、実施例２における送信装置の動作例を示すフローチャートである。実施例２における無線通信システムは、データ監視部１７が送信要求の受付制御することを除き、実施例１と同様に動作する。図１２は、実施例２に特化した動作のみを示している。
【０１０３】
実施例２における送信装置では、データ監視部１７は、制御ＡＰ３１から送信要求を受けると（Ｓ１２０１）、この送信要求に含まれる送信データ量に基づいて、この送信要求された制御データを割り振る符合化部を決定する（Ｓ１２０２）。これにより、データ監視部１７は、制御ＡＰ３１へその送信要求の応答として送信許可を通知する（Ｓ１２０３）。
【０１０４】
続いて、データ監視部１７は、ユーザデータＡＰ３２からの送信要求が受信頻度を確認する（Ｓ１２０４）。例えば、この受信頻度は、単位時間当たりに送信要求されたユーザデータのデータ量で測定される。データ監視部１７は、ユーザデータの送信要求の受信頻度が所定閾値よりも低い、すなわちユーザデータの送信要求が多発しているわけではないと判断すると（Ｓ１２０４；ＮＯ）、制御データが割り振られていない他の符合化部の中から未設定符合化部を決定する（Ｓ１２０５）。ここで決定される未設定符合化部は、送信データの割り振り対象から外される符合化部を意味する。この未設定符合化部の決定は、ユーザデータの送信要求の受信頻度が所定閾値よりも高い場合には（Ｓ１２０４；ＹＥＳ）、実行されない。
【０１０５】
データ監視部１７は、未設定符合化部が決定された場合には、その無線リソースを上記制御データが割り振られた符合化部に追加的に割り当てることを決定する。以降、実施例１と同様に処理されることにより、制御データがユーザデータよりも低い符合化率で符合化され、その符号化部の無線リソース及び未設定符合化部の無線リソースにより搬送される。
【０１０６】
このように制御ＡＰ３１からの制御データの送信要求の処理をしている際に、ユーザデータＡＰから送信要求を受ける場合がある（Ｓ１２１０）。この場合に、データ監視部１７は、送信データが割り当てられていない残りの符合化部に、そのユーザデータの送信要求に含まれるデータ量を割り振れる符合化部があるかを判断する（Ｓ１２１１）。このとき、未設定符合化部として決定された符合化部はその対象から除外される。データ監視部１７は、そのユーザデータを割り振れる符合化部が存在すると判断すると（Ｓ１２１１；ＹＥＳ）、そのユーザデータを割り振る符号化部を決定する（Ｓ１２１２）。データ監視部１７は、ユーザデータＡＰ３２へそのユーザデータの送信を許可する旨を通知する（Ｓ１２１３）。一方で、データ監視部１７は、そのユーザデータを割り振れる符合化部が存在しないと判断すると（Ｓ１２１１；ＮＯ）、ユーザデータＡＰ３２へそのユーザデータの送信を待つように指示する（Ｓ１２１４）。
【０１０７】
〈実施例２における作用及び効果〉
実施例２の送信装置１は、ユーザデータの送信要求頻度が高くない場合には、ユーザデータの送信を抑制することにより、未設定符合化部を故意に生じさせる。結果、当該送信装置１は、この未設定符合化部の無線リソースを制御データが割り振られた符合化部に追加的に割り振ることにより、制御データをユーザデータよりも高い冗長度で送信する。
【０１０８】
従って、実施例２によれば、実施例１と同様に無線リソースを効率的に利用しつつ、制御データをユーザデータよりも高い通信品質で送信することができる。
【０１０９】
［変形例］
図１３は、実施例１及び２における送信装置１の変形例を示す図である。図１３に示すように、無線基地局（ｅＮＢ）等の通信装置がＲＬＣ（Radio Link Control）層及びＭＡＣ（Media Access Control）層の各プロトコルを実装する無線通信システムがある。このようなシステムでは、無線リンクにおけるデータ単位はＲＬＣ−ＰＤＵ（RLC Protocol Data Unit）と呼ばれる。ＲＬＣ−ＰＤＵは、ＳＤＵ（Service Data Unit）を分割するこ
とにより生成される。このようなシステムでは、送信装置１のデータ監視部１７は、このＲＬＣ−ＰＤＵを送信データとして受ける。
【０１１０】
変形例としての送信装置１は、実施例１及び２の構成に加えて、２つのＭＡＣ生成部４１（＃１）及び４１（＃２）を有する。この変形例としての送信装置１は、２つの符合化部１５（＃１）及び１５（＃２）を有し、それぞれにＭＡＣ生成部４１（＃１）及び４１（＃２）が接続される。データ監視部１７は、実施例１及び２に示すような各符号化部１
５へのＲＬＣ−ＰＤＵの振り分けを決定すると、このＭＡＣ生成部４１（＃１）及び４１（＃２）を介して各符号化部１５へＲＬＣ−ＰＤＵを送る。
【０１１１】
ＭＡＣ生成部４１は、ＲＬＣ−ＰＤＵにヘッダ情報等を付加することによりＭＡＣ−ＰＤＵを生成する。ＭＡＣ生成部４１は、このＭＡＣ−ＰＤＵを符合化部１５へ送る。なお、受信装置２では、このＭＡＣ生成部４１に対応して、ＭＡＣ終端部が設けられる。
【０１１２】
符合化部１５は、ＭＡＣ生成部４１から送られるＭＡＣ−ＰＤＵを符合化する。この符合化されたＭＡＣ−ＰＤＵデータ系列は、４×４のＭＩＭＯ通信時には２つのストリームに分割されて無線送信される。
【０１１３】
このような変形例においても、実施例１及び２における構成は適用可能である。適用されれば、符合化部１５（＃２）が未使用符合化部となった場合にもＭＡＣ生成部４１（＃２）でダミーのＲＬＣ−ＰＤＵが生成されることなく、ＭＡＣ生成部４１（＃１）で生成されたＲＬＣ−ＰＤＵ１が符合化部１５（＃１）で通常時よりも低符合化率で符号化される。この符号化されたＲＬＣ−ＰＤＵ１は、符合化部１５（＃１）及び１５（＃２）の２つの無線リソースにより搬送される。
【０１１４】
［その他］
〈ハードウェアの構成要素（Component）及びソフトウェアの構成要素（Component）について〉
ハードウェアの構成要素とは、ハードウェア回路であり、例えば、フィールド・プログラマブル・ゲートアレイ（ＦＰＧＡ）、特定用途向け集積回路（ＡＳＩＣ）、ゲートアレイ、論理ゲートの組み合わせ、信号処理回路、アナログ回路等がある。
【０１１５】
ソフトウェアの構成要素とは、ソフトウェアとして上記機能を実現する部品（断片）であり、そのソフトウェアを実現する言語、開発環境等を限定する概念ではない。ソフトウェアの構成要素としては、例えば、タスク、プロセス、スレッド、ドライバ、ファームウェア、データベース、テーブル、関数、プロシジャ、サブルーチン、プログラムコードの所定の部分、データ構造、配列、変数、パラメータ等がある。これらソフトウェアの構成要素は、１又は複数のメモリ（１または複数のプロセッサ（例えば、ＣＰＵ（Central Processing Unit）、ＤＳＰ（Digital Signal Processor）等）上で実現される。
【０１１６】
なお、上述の各実施形態は、上記各機能部の実現手法を限定するものではないため、上記各処理部は、上記ハードウェアの構成要素又はソフトウェアの構成要素若しくはこれらの組み合わせとして、本技術分野の通常の技術者において実現可能な手法により構成されていればよい。
【０１１７】
〈付記〉
以上の本実施形態に関し、更に以下の付記を開示する。各項に開示される態様は、必要に応じて可能な限り組み合わせることができる。
（付記１）
複数の符号化部と、
前記複数の符号化部の各々により符号化された各データを各符号化部に割り当てられる各無線リソースを用いてそれぞれ無線送信する送信手段と、
前記複数の符号化部に符号化されるべき各送信データをそれぞれ割り振る割振手段と、
前記複数の符号化部のうち前記割振手段により送信データが割り振られていない未使用符号化部を検出する検出手段と、
前記検出手段により前記未使用符号化部が検出された場合に、前記複数の符号化部のうち該未使用符号化部以外の少なくとも１つを、該未使用符号化部に割り当てられている無
線リソースが追加的に割り当てられる再設定符合化部として決定する決定手段と、
前記決定手段により決定された再設定符合化部の符合化率を、追加的に割り当てられた無線リソースに応じて、他の符号化部よりも低く設定する設定手段と、
を備えることを特徴とする無線通信装置。
（付記２）
前記送信手段は、
前記各無線リソースに対応する複数の変調部と、
前記再設定符合化部により符号化されたデータ系列を分割し、各分割されたデータ系列を該再設定符合化部に割り当てられている無線リソースに対応する変調部と該再設定符合化部へ追加的に割り当てられた無線リソースに対応する変調部とに送る分割手段と、
を含むことを特徴とする付記１に記載の無線通信装置。
（付記３）
前記送信手段は、前記複数の符号化部により符号化された各データが多重化される送信チャネルに対応する制御チャネルを用いて、前記複数の符号化部の各使用状況情報をそれぞれ送信することを特徴とする付記１又は２に記載の無線通信装置。
（付記４）
前記割振手段は、
第１アプリケーション及び第２アプリケーションから送信データと共に送信要求をそれぞれ受け付ける受付手段、を含み、
前記受付手段が前記第１アプリケーションから送信要求を受けた場合に、該送信要求対象の第１送信データを前記複数の符号化部の少なくとも１つに割り振り、該第１送信データが割り振られた符号化部以外の少なくとも１つの符号化部が未使用符号化部となるように前記第２アプリケーションからの送信要求を抑制し、
前記決定手段は、前記第１送信データが割り振られた符号化部を再設定符合化部に決定する、
ことを特徴とする付記１から３のいずれか１項に記載の無線通信装置。
（付記５）
複数の符号化部の各々により符号化された各データが各符号化部に割り当てられる各無線リソースによりそれぞれ無線送信された信号を受信する無線通信装置において、
前記受信信号を復調することにより、前記各無線リソースにより搬送された各データ系列をそれぞれ取得する取得手段と、
前記各符号化部の使用状況情報を制御チャネルからそれぞれ取得する制御情報取得手段と、
前記制御情報取得手段により取得された各符号化部の使用状況情報に基づいて、前記取得手段により取得されたデータ系列のうち未使用符合化部に割り当てられている無線リソースにより搬送されたデータ系列と、未使用符号化部以外の符号化部の少なくとも１つに割り当てられている無線リソースにより搬送されたデータ系列と、を結合する結合手段と、
前記結合手段により結合されたデータ系列を復号する復号部と、
を備えることを特徴とする無線通信装置。
（付記６）
複数の符号化部と、該複数の符号化部の各々により符号化された各データを各符号化部に割り当てられる各無線リソースを用いてそれぞれ無線送信する送信部と、を備える無線通信装置による無線通信方法であって、
前記複数の符号化部に符号化されるべき各送信データをそれぞれ割り振る割振ステップと、
前記複数の符号化部のうち前記割振ステップにより送信データが割り振られていない未使用符号化部を検出する検出ステップと、
前記検出ステップにより前記未使用符号化部が検出された場合に、前記複数の符号化部のうち該未使用符号化部以外の少なくとも１つを、該未使用符号化部に割り当てられてい
る無線リソースが追加的に割り当てられる再設定符合化部として決定する決定ステップと、
前記決定ステップにより決定された再設定符合化部の符合化率を、追加的に割り当てられた無線リソースに応じて、他の符号化部よりも低く設定する設定ステップと、
を含むことを特徴とする無線通信方法。
（付記７）
前記送信部は、前記各無線リソースに対応する複数の変調部、を含み、
前記再設定符合化部により符号化されたデータ系列を分割し、各分割されたデータ系列を該再設定符合化部に割り当てられている無線リソースに対応する変調部と該再設定符合化部へ追加的に割り当てられた無線リソースに対応する変調部とに送る分割ステップ、
を更に含むことを特徴とする付記６に記載の無線通信方法。
（付記８）
前記複数の符号化部により符号化された各データが多重化される送信チャネルに対応する制御チャネルを用いて、前記複数の符号化部の各使用状況情報をそれぞれ送信する送信ステップを更に含むことを特徴とする付記６又は７に記載の無線通信方法。
（付記９）
前記割振ステップは、
第１アプリケーション及び第２アプリケーションから送信データと共に送信要求をそれぞれ受け付ける受付ステップ、を含み、
前記受付ステップが前記第１アプリケーションから送信要求を受けた場合に、該送信要求対象の第１送信データを前記複数の符号化部の少なくとも１つに割り振り、該第１送信データが割り振られた符号化部以外の少なくとも１つの符号化部が未使用符号化部となるように前記第２アプリケーションからの送信要求を抑制し、
前記決定ステップは、前記第１送信データが割り振られた符号化部を再設定符合化部に決定する、
ことを特徴とする付記６から８のいずれか１項に記載の無線通信方法。
（付記１０）
複数の符号化部の各々により符号化された各データが各符号化部に割り当てられる各無線リソースによりそれぞれ無線送信された信号を受信する無線通信装置における無線通信方法であって、
前記受信信号を復調することにより、前記各無線リソースにより搬送された各データ系列をそれぞれ取得する取得ステップと、
前記各符号化部の使用状況情報を制御チャネルからそれぞれ取得する制御情報取得ステップと、
前記制御情報取得ステップにより取得された各符号化部の使用状況情報に基づいて、前記取得手段により取得されたデータ系列のうち未使用符合化部に割り当てられている無線リソースにより搬送されたデータ系列と、使用されている符号化部の少なくとも１つに割り当てられている無線リソースにより搬送されたデータ系列と、を結合する結合ステップと、
前記結合ステップにより結合されたデータ系列を復号する復号ステップと、
を含むことを特徴とする無線通信方法。
【図面の簡単な説明】
【０１１８】
【図１】実施例１における無線通信システムの概略構成を示す図である。
【図２】実施例１における無線通信システムで実行される通信手法を示す概念図である。
【図３】実施例１における送信装置１の構成を示すブロック図である。
【図４】制御チャネルフォーマットの第１例を示す。
【図５】制御チャネルフォーマットの第２例を示す。
【図６】実施例１における受信装置２の構成を示すブロック図である。
【図７】実施例１における送信装置の動作例を示すフローチャートである。
【図８】実施例１における受信装置の動作例を示すフローチャートである。
【図９】実施例１における受信装置の処理例１を示す図である。
【図１０】実施例１における受信装置の処理例２を示す図である。
【図１１】実施例２における送信装置１の構成を示すブロック図である。
【図１２】実施例２における送信装置の動作例を示すフローチャートである。
【図１３】実施例１及び２における送信装置１の変形例を示す図である。
【図１４】従来のＭＩＭＯ（Multiple Input Multiple Output）通信システムの例を示す図である。
【符号の説明】
【０１１９】
１３  分割部
１５  符号化部
１７  データ監視部
１８  制御情報生成部
２１  復調部
２３  結合部
２５  復号部
２７  制御情報受信部
３１  制御アプリケーション
３２  ユーザデータアプリケーション
【図１】
2010074453.tif 000003
【図２】
2010074453.tif 000004
【図３】
2010074453.tif 000005
【図４】
2010074453.tif 000006
【図５】
2010074453.tif 000007
【図６】
2010074453.tif 000008
【図７】
2010074453.tif 000009
【図８】
2010074453.tif 000010
【図９】
2010074453.tif 000011
【図１０】
2010074453.tif 000012
【図１１】
2010074453.tif 000013
【図１２】
2010074453.tif 000014
【図１３】
2010074453.tif 000015
【図１４】
2010074453.tif 000016